(57)【要約】【課題】外壁パネルの内側面に沿う部分と、下端面に沿う部分を有する断面Ｌ形の硬質板と、該硬質板の下端面に沿う部分に連結された軟質シートよりなる水切りシートを用いた上下の外壁パネル間の目地の防水構造において、下側外壁パネルの壁厚が上側外壁パネルの壁厚より薄くて上下の外壁パネルの外側面に段差があっても、軟質シートを下側外壁パネルの外側面に沿わせて密着させて取付けることができるようにする。【解決手段】軟質シート２を断面Ｌ字形の硬質板１の垂直部分１ａの延長上に連結した水切りシート２１を用い、硬質板１を上側外壁パネル５の内側面と下端面に沿わせて取付け、軟質シート２を下側外壁パネル４の上端面から外側面に沿わせ、該外側面に粘着テープにより取付ける。【選択図】図６
2008057260.tif 000002
【特許請求の範囲】
【請求項１】
建物の上下の外壁パネル４、５、７、９、１３、２８間に形成される目地６の防水構造であって、上側外壁パネル５の内側面に沿う部分及び下端面に沿う部分を備えた硬質板１、２６と、該硬質板１、２６における上側外壁パネル５の下端面に沿う部分の中間部から先端に至るまでの区間以外の箇所で前記硬質板１、２６に連結される軟質シート２よりなる水切りシート２１、２５を用い、前記硬質板１、２６を上側外壁パネル５の内側面と下端面に沿わせて取付け、上下の外壁パネル４、５、７、９、１３、２８間の目地６より引き出した軟質シート２を下側外壁パネル４、７、９、１３の外側面に沿わせたことを特徴とする目地の防水構造。
【請求項２】
建物の上下の外壁パネル４、５、７、９、１３、２８間に形成される目地６の防水構造であって、上側外壁パネル５の内側面に沿う部分及び下端面に沿う部分を備えた硬質板１、２６と、該硬質板１、２６における上側外壁パネル５の下端面に沿う部分の先端から該部分の延長上に横向きに延びる軟質シート２よりなる水切りシート２３、２５を用い、前記硬質板１、２６を上側外壁パネル５の内側面と下端面に沿わせて取付け、軟質シート２を下側外壁パネル４、７、１３に沿わせることを特徴とする目地の防水構造。
【請求項３】
建物の上下の外壁パネル４、５間に形成される目地６の防水構造であって、上側外壁パネル５の内側面に沿う硬質板３６と、該硬質板３６の下端から横向きに伸びる軟質シート３７、４２よりなる水切りシート３５、４１を用い、前記硬質板３６を上側外壁パネル５の内側面に沿わせて取付け、上下の外壁パネル４、５間の目地６より引出した軟質シート３７、４２を下側外壁パネル４の外側面に沿わせたことを特徴とする目地の防水構造。
【発明の詳細な説明】
【技術分野】
【０００１】
本発明は、建物の上下の外壁パネル間に形成される目地の防水構造に関する。
【背景技術】
【０００２】
建物の外壁パネル間に形成される目地の防水構造のため、従来はモルタル、シーリング材、ガスケット等の止水材を目地に装填することが行われてきたが、こうした止水材による防水構造は、施工作業者の技能によっては防水性が損なわれたり、経年により収縮して外壁パネルとの間に隙間が生じ、これにより防水性が損なわれる、といった不具合があった。
【０００３】
目地の防水構造としてはこのほか、断面が段状の硬質板からなる水切り板や軟質シートからなる水切りシートを用い、水切り板や水切りシートの上縁を上側外壁パネルの内側に挿入して取付け、下縁を下側外壁パネルの外側に垂れ下げさせた構造のものが知られる。こうした水切り板や水切りシートによる防水構造は、施工作業者の技能により防水性が損なわれたり、経年より防水性が損なわれる、といった問題が比較的生じ難いが、前者の水切り板による場合、水切り板の下縁が下側外壁パネルの外側に大きく突出して外観を損ないがちであり、また水切り板下縁と下側外壁パネルとの間の隙間より吹上げられた雨水が浸入する、といった不具合がある。
【０００４】
一方、後者の水きりシートは、外壁パネルを取付けたのちでは外壁パネル間の目地を通して上側外壁パネルの内側に挿入することができず、そのため上側外壁パネルを取付けるのに先立って該外壁パネルに水切りシートが取付けられるが、水切りシートを取付けたまま外壁パネルを運搬したり、施工する際に水切りシートが損傷し、或いは折れ曲がったり変形したりしがちである。
【０００５】
この問題に対処するため下記特許文献１には、図１に示すように断面Ｌ字形の硬質樹脂板１と、該硬質板１の側縁に取付けた軟質樹脂シート２よりなる水きりシート３を用い、該水切りシート３の硬質樹脂板１を上側外壁パネル５の内側面から下端面に沿わせて取付け、硬質樹脂板１の側縁より垂れ下がる軟質樹脂シート２を下側外壁パネル４の外側面に沿わせた防水構造が提案されている。
【特許文献１】特許第３２８３３５１号
【発明の開示】
【発明が解決しようとする課題】
【０００６】
図１に示す防水構造においては、硬質樹脂板１と軟質樹脂シート２は押出により一体成形でき、製造が容易であること、金属製に比べ、軽量で錆びることがないうえ、角で怪我をすることもなく、取扱いが容易であること、樹脂に耐候性に優れたポリプロピレンやオレフィン系熱可塑性エラストマーを使用すれば、防水性を長期間維持できること、上側外壁パネル５取付後、更には上下の外壁パネル４、５取付け後においても硬質樹脂板１を上側外壁パネル５の内側に、或いは上下の両外壁パネル間の目地６を通して上側外壁パネル５の内側に挿入することが可能で、外壁パネル取付後も水切りシート３を取付けることができ、施工性が容易であること、下側外壁パネル４の外側面に沿う軟質樹脂シート２を外壁パネル外側面に密着させて防水性を持たせることもできること、等の効果を有するが、図２に示すように下側外壁パネル７の壁厚が上側外壁パネル５よりも薄く、上下の外壁パネル５、７の外側面に段差があると、軟質樹脂シート２の下縁を下側外壁パネル７の外側面に粘着テープ等により接着して取付けたとしても、その上方では下側外壁パネル７との間に隙間８ができ、該部の軟質樹脂シート２が弛んだり、しわができて外観を損なったりし、また経年により粘着テープ等が剥がれて防水性が損なわれる、といった不具合を生じがちである。
【０００７】
図３に示すように、下側外壁パネル９の外側上端のコーナが傾斜ないしＲ状になっている場合も、下側外壁パネル９との間に隙間１１ができて該部の軟質樹脂シート２が弛んだり、しわができて外観を損なう、という上記と同様の問題を生じ易い。
【０００８】
上記と逆に図４に示すように、下側外壁パネル１３の壁厚が上側外壁パネル５よりも厚く、上下の外壁パネル５、１３の外側面に段差がある場合、硬質樹脂板側縁に連結される軟質樹脂シート２の根元を折曲げて下側外壁パネル１３の外側面に沿わせるが、軟質樹脂シート２の根元からの折曲げはきれいに行い難く、折り曲げ部が外部から見え易いため外観が損なわれることがある、といった不具合がある。
【０００９】
本発明は、上側外壁パネルの内側面に沿う部分と、下端面に沿う部分を有する硬質板と、該硬質板の前記下端面に沿う部分に連結された軟質シートよりなる水切りシートを用いた上下の外壁パネル間の従来の目地の防水構造における上記不具合を解消することを目的とする。
【課題を解決するための手段】
【００１０】
請求項１に係わる発明は、建物の上下の外壁パネル間に形成される目地の防水構造であって、上側外壁パネルの内側面に沿う部分及び下端面に沿う部分を備えた硬質板と、該硬質板における上側外壁パネルの下端面に沿う部分の中間部から先端に至るまでの区間以外の箇所で前記硬質板に連結される軟質シートよりなる水切りシートを用い、前記硬質板を上側外壁パネルの内側面と下端面に沿わせて取付け、上下の外壁パネル間の目地より引き出した軟質シートを下側外壁パネルの外側面に沿わせたことを特徴とし、
請求項２に係わる発明は、建物の上下の外壁パネル間に形成される目地の防水構造であって、上側外壁パネルの内側面に沿う部分及び下端面に沿う部分を備えた硬質板と、該硬質板における上側外壁パネルの下端面に沿う部分の先端から該部分の延長上に横向きに延びる軟質シートよりなる水切りシートを用い、前記硬質板を上側外壁パネルの内側面と下端面に沿わせて取付け、軟質シートを下側外壁パネルに沿わせることを特徴とする。
【００１１】
また請求項３に係わる発明は、建物の上下の外壁パネル間に形成される目地６の防水構造であって、上側外壁パネルの内側面に沿う硬質板と、該硬質板の下端から横向きに伸びる軟質シートよりなる水切りシートを用い、前記硬質板を上側外壁パネルの内側面に沿わせて取付け、上下の外壁パネル間の目地より引出した軟質シートを下側外壁パネルの外側面に沿わせたことを特徴とする。
【発明の効果】
【００１２】
請求項１〜３に係わる発明において、硬質板は外壁パネルの取付けに先立って予め外壁パネルの内側面に接着剤や粘着テープ等の接着手段を用いて取付けられるか、外壁パネル取付時に建物の外側パネル取付面に接着剤や粘着テープ等の接着手段を用いて取付けられ、或いはまた上側外壁パネル取付後、更には上下の外壁パネル取付後、硬質板を上側外壁パネルの内側に、或いは上下の両外壁パネル間の目地を通して上側外壁パネルの内側に挿入することにより取付けられる。
【００１３】
外壁パネル取付後に水切りシートを取付けるようにすれば、施工性が容易であると共に、下側外壁パネルの壁厚が上側外壁パネルの壁厚より薄く或いは厚くて上下の外壁パネルの外側面に段差があっても、また下側外壁パネルの外側上端のコーナが傾斜ないしＲ状になっている場合でも、軟質シートを下側外壁パネルの外側面と隙間なく沿わせて密着させることができ、外観及び防水性に優れる。
【００１４】
更に請求項１に係わる発明においては、硬質板に連結される軟質シートの根元は目地の奥側にあって目が届きにくいため、例え根元部がきれいに折れ曲がっていなくても、外観が損なわれる、といった問題が生じにくい。
【００１５】
請求項２に係わる発明においては、軟質シートと硬質板の外壁パネルの下端面に沿う部分とは連続して設けられ、軟質シートを硬質シートとの継ぎ目で折り曲げる必要がないから、例え、下側外壁パネルが上側外壁パネルより厚く、下側外壁パネルの上端面に軟質シートと硬質板の継ぎ目が露出するようなことがあっても硬質板と軟質シートの継目で折り曲げられることはないし、継目も目立ちにくく外観が損なわれることもない。
【発明を実施するための最良の形態】
【００１６】
以下、本発明の実施形態の防水構造に用いる水きりシートについて図面により説明する。図中、図１〜図４に示す水切りシート３と同一構造部分には同一符号を付した。
【００１７】
図５に示す水切りシート２１は、外壁パネルの内側面に沿う垂直部分１ａと、一端面に沿う水平部分１ｂとで構成される断面Ｌ字形の例えばポリプロピレン、ポリエチレン、ポリ塩化ビニルその他の硬質樹脂よりなる硬質板１と、上記垂直部分１ａの下方の延長上において硬質板１に連結される、例えばオレフィン系熱可塑性エラストマー、スチレン系熱可塑性エラストマー、ポリ塩化ビニルその他の材質よりなる軟質シート２からなり、全体が押出一体成形されている。
【００１８】
この硬質板１と軟質シート２は別々に形成し、接着剤や粘着テープ等を用いて接着してもよい。上述する軟質シート２はまた、図示する例では、垂直部分１ａの下方の延長上に設けられているが、水平部分１ｂの先端部を除く箇所の中間部に設けてもよいし、垂直部分１ａに設けてもよい。垂直部分１ａに設ける場合には、該垂直部分１ａに重ねて接着することが可能で、接着面積を広くとって取付強度を上げることができる。
【００１９】
図６は、図２に示すように下側外壁パネル７の壁厚が上側外壁パネル５よりも薄く、上下の外壁パネル５、７の外側面に段差がある目地構造に図５に示す水切りシート２１を用いた例を示すもので、硬質板１を垂直部分１ａにおいて上側外壁パネル５の内側面に図示しない粘着テープにより取付けたのち、目地６より引出した軟質シート２を下側外壁パネル４の上端面から外側面に沿わせて、少なくとも一か所、例えば軟質シート下側部で図示しない粘着テープにより下側外壁パネル７の外側面に取付けている。
【００２０】
本実施形態の防水構造によると、以下の実施形態の防水構造も同様であるが、前述した図１に示す従来構造及び該構造で用いられる水切りシート３と同様の効果を奏するほか、下側外側パネル７の壁厚の如何にかかわらず施工できること、硬質板を上側外側パネル５の下端に位置決めして取付け易くなること、軟質シート２を下側外壁パネル４の上端面と外側面に弛みや皺なく密着させて取付けて、きれいな外観を呈することができること、粘着テープが剥がれにくく、防水効果を長期間維持できること、軟質シート２の根元がきれいに折れ曲がっていなくても折曲げ部分は目地６の奥深くに位置するため、外部から目に付くことはなく、外観が損なわれることがないこと等の効果を奏する。
【００２１】
図７は、下側外壁パネルに外側上端のコーナがＲ状をなす外壁パネル９を用いた目地構造に図５に示す水切りシート２１を用いた例を示すもので、前記実施形態と同様、硬質板の垂直部分１ａを上側外壁パネル５の内側面に図示しない粘着テープにより取付けたのち目地６より引出した軟質シート２を下側外壁パネル９の上端面からＲ状のコーナ及び外側面に沿わせ、図示しない粘着テープにより下側外壁パネル９の外側面に取付けている。
【００２２】
図８は、図４に示すように下側外壁パネル１３の壁厚が上側外壁パネル５よりも厚く、上下の外壁パネル５、１３の外側面に段差がある目地構造に図５に示す水切りシート２１を用いた例を示すもので、硬質板の垂直部分１ａを上側外壁パネル５の内側面に図示しない粘着テープにより取付けたのち、目地６より引出した軟質シート２を下側外壁パネル４の上端面から外側面に沿わせて、該外側面に図示しない粘着テープにより取付けている。
【００２３】
図９に示す水切りシート２３は、前記した断面Ｌ字形の硬質板１の水平部分１ｂの延長上に軟質シート２を連結した構造をなしている。
【００２４】
図１０は、下側外壁パネル７の壁厚が上側外壁パネル５よりも薄く、上下の外壁パネル５、７の外側面に段差がある目地構造に図９に示す水切りシート２３を用いた例を示すもので、硬質板の垂直部分１ａを上側外壁パネル５の内側面に図示しない粘着テープにより取付けたのち、硬質板１の水平部分１ｂから垂れ下がる軟質シート２を下側外壁パネル４の外側面に沿わせて、図示しない粘着テープにより該外側面に取付けている。
【００２５】
図１１は、下側外壁パネル１３の壁厚が上側外壁パネル５よりも厚く、上下の外壁パネル５、１３の外側面に段差がある目地構造に図９に示す水切りシート２３を用いた例を示すもので、前記実施形態と同様、硬質板の垂直部分１ａを上側外壁パネル５の内側面に図示しない粘着テープにより取付けたのち、硬質板１の水平部分１ｂから垂れ下がる軟質シート２を下側外壁パネル４の外側面に沿わせ、該外側面に図示しない粘着テープにより取付けている。
【００２６】
本実施形態においては、硬質板１の水平部分１ｂと軟質シート２は連続して繋がっているため、継ぎ目が目に付くようなことがあったとしても、目立ちにくい。
【００２７】
図１２に示す水切りシート２５は、硬質樹脂よりなる硬質板２６を外壁パネルの内側面に沿う垂直部分２６ａと、下端面に沿う部分２６ｂとで構成し、該部分２６ｂは段部のコーナを傾斜した構造をなしており、水平部分２６ｄの先端より一定距離離れた垂直部分２６ｃの下方の延長上に軟質シート２が連結されている。
【００２８】
図１３は、下端が傾斜したコーナを有しないほかは前記部分２６ｂと同一断面形状の段状をなす上側外壁パネル２８と下側外壁パネル４との間の目地構造に図１２に示す水切りシート２８を用いた例を示すもので、硬質板２６の垂直部分２６ａを上側外壁パネル２８の内側面に図示しない粘着テープにより取付けたのち、目地より引出した軟質シート２を下側外壁パネル４の外側面に沿わせ該外側面に図示しない粘着テープにより取付けるようになっている。下側外壁パネル４の壁厚が上側外壁パネル２８よりも薄い場合や厚い場合、また下側外壁パネルに外側上端のコーナがＲ状をなす外壁パネル９を用いた場合も軟質シート２は図６〜図８と同様な形態をなして下側外壁パネル４或いは９の外側面に沿い該外側面に図示しない粘着テープにより取付けられる。
【００２９】
図１４に示す水切りシート３１は、図１２に示す水切りシート２５の軟質シート２を前記垂直部分２６ｃと直交する水平部分２６ｄの延長上に該水平部分２６ｄに連結して設けたものである。この水切りシート３１は図９に示す水切りシート２３と同様な方法で用いられる。
【００３０】
図１５に示す水切りシート３５は、断面Ｉ形の硬質板３６と、該硬質板下端より横向きに伸びる軟質シート３７よりなるものであり、図１６に示す水切りシート４１は、図１５に示す水切りシート３５における軟質シート３７を中央部で下向きに屈曲した軟質シート４２としたものである。
【００３１】
図１７は、図１に示す目地構造に図１５に示す水切りシート３５を用いた例を示すもので、硬質板３６を上側外壁パネル５の内側面に図示しない粘着テープにより取付けたのち、目地６より引出した軟質シート３７を下側外壁パネル４に沿わせ、図示しない粘着テープにより取付けるようになっている。図１６に示す水切りシート４１も同様にして取付けられる。
【００３２】
前記実施形態は、いずれの態様においても、硬質板１、２６、３６は、上側外壁パネル５の内側面に粘着テープにより取付けられるようになっているが、外壁パネルが取付けられる建物の取付面に粘着テープにより取付けられるようにしてもよいし、図５、図９、図１２及び図１４に示す水切りシート２１、２３、２５、３１では、上下の外壁パネル間の目地６より硬質板１、２６を上側外壁パネル５の内側に挿入して取付けることもできる。
【図面の簡単な説明】
【００３３】
【図１】従来の目地防水構造の断面図
【図２】下側外壁パネルの壁厚が上側外壁パネルより薄い場合の目地防水構造の断面図
【図３】下側外壁パネルの外側上端がＲ状をなしている場合の目地防水構造の断面図
【図４】下側外壁パネルの壁厚が上側外壁パネルより厚い場合の目地防水構造の断面図
【図５】本発明の目地防水構造で用いられる水切りシートの斜視図
【図６】図５に示す水切りシートを用いた目地防水構造の断面図
【図７】図５に示す水切りシートを用いた目地防水構造の別の例の断面図
【図８】図５に示す水切りシートを用いた目地防水構造の更に別の例の断面図
【図９】別の例の水切りシートの斜視図
【図１０】図９に示す水切りシートを用いた目地防水構造の断面図
【図１１】図９に示す水切りシートを用いた別の例の目地防水構造の断面図
【図１２】水切りシートの更に別の例の斜視図
【図１３】図１２に示す水切りシートを用いた目地防水構造の断面図
【図１４】水切りシートの更に別の例の斜視図
【図１５】水切りシートの更に別の例の斜視図
【図１６】水切りシートの他の例の斜視図
【図１７】図１５に示す水切りシートを用いた目地防水構造の断面図
【符号の説明】
【００３４】
１、２６、３６・・硬質板
２、３７、４２・・軟質シート
３、２１、２３、２５、３１・・水切りシート
４、７、９、１３・・下側外壁パネル
５、２８・・上側外壁パネル
６・・目地
８、１１・・隙間
【図１】
2008057260.tif 000003
【図２】
2008057260.tif 000004
【図３】
2008057260.tif 000005
【図４】
2008057260.tif 000006
【図５】
2008057260.tif 000007
【図６】
2008057260.tif 000008
【図７】
2008057260.tif 000009
【図８】
2008057260.tif 000010
【図９】
2008057260.tif 000011
【図１０】
2008057260.tif 000012
【図１１】
2008057260.tif 000013
【図１２】
2008057260.tif 000014
【図１３】
2008057260.tif 000015
【図１４】
2008057260.tif 000016
【図１５】
2008057260.tif 000017
【図１６】
2008057260.tif 000018
【図１７】
2008057260.tif 000019